【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
個人化された買い物体験をポータブルコンピューティングデバイスのユーザに提供するための方法であって、
中央モバイル支払いコントローラにアクセスするための資格証明を検証するステップと、
前記ポータブルコンピューティングデバイスからコンピュータ通信ネットワークを介して業者に対応する業者識別子を受信するステップと、
1次の商品および1次のサービスのうちの少なくとも1つに第1に関連付けられた機械可読コードのスキャンを前記ポータブルコンピューティングデバイスから受信するステップと、
前記機械可読コードに関連付けられた情報をデータベースから取り出すステップと、
前記少なくとも1つの1次の商品または1次のサービスに対応する、前記ポータブルコンピューティングデバイスに関連付けられた消費者向けの個人化された価格を決定するステップと、
前記スキャンされた機械可読コードに第2に関連付けられたさらなる商品またはサービスの提案を生成するステップと、
コンピュータ通信ネットワークを介して前記個人化された価格および前記提案を前記ポータブルコンピューティングデバイスに送信するステップと
を含む、方法。
【請求項２】
前記消費者向けの個人化された価格を決定するステップが、前記消費者によって選択された前記商品またはサービスにおける関心度を判定するステップをさらに含む、請求項1に記載の方法。
【請求項３】
前記消費者によって選択された前記商品またはサービスにおける関心度を判定するステップが、前記商品またはサービスに関連付けられた機械可読コードが前記ポータブルコンピューティングデバイスによってスキャンされたかどうかを判定するステップを含む、請求項2に記載の方法。
【請求項４】
前記消費者によって選択された前記商品またはサービスにおける関心度を判定するステップが、前記商品またはサービスがウィッシュリスト、仮想買い物カート、および仮想チェックアウトリストのうちの少なくとも1つの中に含まれているかどうかを判定するステップを含む、請求項3に記載の方法。
【請求項５】
前記消費者によって選択された前記商品またはサービスにおける関心度を判定するステップが、前記商品またはサービスが前記消費者によって以前に購入されたかどうかを判定するステップを含む、請求項3に記載の方法。
【請求項６】
最小在庫管理単位データベース、顧客プロファイルデータベース、人口統計データベース、および販売促進データベースのうちの少なくとも1つにアクセスするステップ
をさらに含む、請求項1に記載の方法。
【請求項７】
1つまたは複数の支払いオプションおよびそれらの対応する交換レートを、前記商品またはサービス用の最終購入価格と比較するステップ
をさらに含む、請求項1に記載の方法。
【請求項８】
支払い口座タイプにより潜在的な支払いオプションを並べ替えるステップ
をさらに含む、請求項1に記載の方法。
【請求項９】
前記1つまたは複数の優先される支払いオプションを、業者に有利であり得るランク付け方式で、前記ポータブルコンピューティングデバイスのディスプレイデバイスに表示するステップ
をさらに含む、請求項1に記載の方法。
【請求項１０】
個人化された買い物体験をポータブルコンピューティングデバイスのユーザに提供するためのコンピュータシステムであって、
中央モバイル支払いコントローラにアクセスするための資格証明を検証することと、
前記ポータブルコンピューティングデバイスからコンピュータ通信ネットワークを介して業者に対応する業者識別子を受信することと、
1次の商品および1次のサービスのうちの少なくとも1つにサービス第1に関連付けられた機械可読コードのスキャンを前記ポータブルコンピューティングデバイスから受信することと、
前記機械可読コードに関連付けられた情報をデータベースから取り出すことと、
前記少なくとも1つの1次の商品または1次のサービスに対応する、前記ポータブルコンピューティングデバイスに関連付けられた消費者向けの個人化された価格を決定することと、
前記スキャンされた機械可読コードに第2に関連付けられたさらなる商品またはサービスの提案を生成することと、
コンピュータ通信ネットワークを介して前記個人化された価格および前記提案を前記ポータブルコンピューティングデバイスに送信することと
を行うためのプロセッサ
を備える、コンピュータシステム。
【請求項１１】
前記消費者向けの個人化された価格を決定することが、前記消費者によって選択された前記商品またはサービスにおける関心度を判定することをさらに含む、請求項10に記載のシステム。
【請求項１２】
前記消費者によって選択された前記商品またはサービスにおける関心度を判定することが、前記商品またはサービスに関連付けられた機械可読コードが前記ポータブルコンピューティングデバイスによってスキャンされたかどうかを判定することを含む、請求項11に記載のシステム。
【請求項１３】
前記消費者によって選択された前記商品またはサービスにおける関心度を判定することが、前記商品またはサービスがウィッシュリスト、仮想買い物カート、および仮想チェックアウトリストのうちの少なくとも1つの中に含まれているかどうかを判定することを含む、請求項12に記載のシステム。
【請求項１４】
前記消費者によって選択された前記商品またはサービスにおける関心度を判定することが、前記商品またはサービスが前記消費者によって以前に購入されたかどうかを判定することを含む、請求項12に記載のシステム。
【請求項１５】
前記プロセッサが、
最小在庫管理単位データベース、顧客プロファイルデータベース、人口統計データベース、および販売促進データベースのうちの少なくとも1つにアクセスすること
を行うようにさらに動作可能である、請求項10に記載のシステム。
【請求項１６】
前記プロセッサが、
1つまたは複数の支払いオプションおよびそれらの対応する交換レートを、前記商品またはサービス用の最終購入価格と比較すること
を行うようにさらに動作可能である、請求項10に記載のシステム。
【請求項１７】
前記プロセッサが、
支払い口座タイプにより潜在的な支払いオプションを並べ替えること
を行うようにさらに動作可能である、請求項10に記載のシステム。
【請求項１８】
前記プロセッサが、
前記1つまたは複数の優先される支払いオプションを、業者に有利であり得るランク付け方式で、前記ポータブルコンピューティングデバイスのディスプレイデバイスに表示すること
を行うようにさらに動作可能である、請求項10に記載のシステム。
【請求項１９】
個人化された買い物体験をポータブルコンピューティングデバイスのユーザに提供するためのコンピューティングシステムであって、
中央モバイル支払いコントローラにアクセスするための資格証明を検証するための手段と、
前記ポータブルコンピューティングデバイスからコンピュータ通信ネットワークを介して業者に対応する業者識別子を受信するための手段と、
1次の商品および1次のサービスのうちの少なくとも1つにサービス第1に関連付けられた機械可読コードのスキャンを前記ポータブルコンピューティングデバイスから受信するための手段と、
前記機械可読コードに関連付けられた情報をデータベースから取り出すための手段と、
前記少なくとも1つの1次の商品または1次のサービスに対応する、前記ポータブルコンピューティングデバイスに関連付けられた消費者向けの個人化された価格を決定するための手段と、
前記スキャンされた機械可読コードに第2に関連付けられたさらなる商品またはサービスの提案を生成するための手段と、
コンピュータ通信ネットワークを介して前記個人化された価格および前記提案を前記ポータブルコンピューティングデバイスに送信するための手段と
を備える、コンピューティングシステム。
【請求項２０】
前記消費者向けの個人化された価格を決定するための手段が、前記消費者によって選択された前記商品またはサービスにおける関心度を判定するための手段をさらに備える、請求項19に記載のシステム。
【請求項２１】
前記消費者によって選択された前記商品またはサービスにおける関心度を判定するための手段が、前記商品またはサービスに関連付けられた機械可読コードが前記ポータブルコンピューティングデバイスによってスキャンされたかどうかを判定するための手段を備える、請求項20に記載のシステム。
【請求項２２】
前記消費者によって選択された前記商品またはサービスにおける関心度を判定するための手段が、前記商品またはサービスがウィッシュリスト、仮想買い物カート、および仮想チェックアウトリストのうちの少なくとも1つの中に含まれているかどうかを判定するための手段を備える、請求項21に記載のシステム。
【請求項２３】
前記消費者によって選択された前記商品またはサービスにおける関心度を判定するための手段が、前記商品またはサービスが前記消費者によって以前に購入されたかどうかを判定するための手段を備える、請求項21に記載のシステム。
【請求項２４】
最小在庫管理単位データベース、顧客プロファイルデータベース、人口統計データベース、および販売促進データベースのうちの少なくとも1つにアクセスするための手段
をさらに備える、請求項19に記載のシステム。
【請求項２５】
1つまたは複数の支払いオプションおよびそれらの対応する交換レートを、前記商品またはサービス用の最終購入価格と比較するための手段
をさらに備える、請求項19に記載のシステム。
【請求項２６】
支払い口座タイプにより潜在的な支払いオプションを並べ替えるための手段
をさらに備える、請求項19に記載のシステム。
【請求項２７】
前記1つまたは複数の優先される支払いオプションを、業者に有利であり得るランク付け方式で、前記ポータブルコンピューティングデバイスのディスプレイデバイスに表示するための手段
をさらに備える、請求項19に記載のシステム。
【請求項２８】
コンピュータ可読プログラムコードを備えるコンピュータプログラムであって、前記コンピュータ可読プログラムコードが、個人化された買い物体験をポータブルコンピューティングデバイスのユーザに提供するための方法を実施するために実行されるように適合され、前記方法が、
中央モバイル支払いコントローラにアクセスするための資格証明を検証するステップと、
前記ポータブルコンピューティングデバイスからコンピュータ通信ネットワークを介して業者に対応する業者識別子を受信するステップと、
1次の商品および1次のサービスのうちの少なくとも1つにサービス第1に関連付けられた機械可読コードのスキャンを前記ポータブルコンピューティングデバイスから受信するステップと、
前記機械可読コードに関連付けられた情報をデータベースから取り出すステップと、
前記少なくとも1つの1次の商品または1次のサービスに対応する、前記ポータブルコンピューティングデバイスに関連付けられた消費者向けの個人化された価格を決定するステップと、
前記スキャンされた機械可読コードに第2に関連付けられたさらなる商品またはサービスの提案を生成するステップと、
コンピュータ通信ネットワークを介して前記個人化された価格および前記提案を前記ポータブルコンピューティングデバイスに送信するステップと
を含む、コンピュータプログラム。
【請求項２９】
前記消費者向けの個人化された価格を決定するステップが、前記消費者によって選択された前記商品またはサービスにおける関心度を判定するステップをさらに含む、請求項28に記載のコンピュータプログラム。
【請求項３０】
前記消費者によって選択された前記商品またはサービスにおける関心度を判定するステップが、前記商品またはサービスに関連付けられた機械可読コードが前記ポータブルコンピューティングデバイスによってスキャンされたかどうかを判定するステップを含む、請求項29に記載のコンピュータプログラム。
【請求項３１】
前記消費者によって選択された前記商品またはサービスにおける関心度を判定するステップが、前記商品またはサービスがウィッシュリスト、仮想買い物カート、および仮想チェックアウトリストのうちの少なくとも1つの中に含まれているかどうかを判定するステップを含む、請求項30に記載のコンピュータプログラム。
【請求項３２】
前記消費者によって選択された前記商品またはサービスにおける関心度を判定するステップが、前記商品またはサービスが前記消費者によって以前に購入されたかどうかを判定するステップを含む、請求項30に記載のコンピュータプログラム。
【請求項３３】
前記方法を実施する前記コンピュータ可読プログラムコードが、
最小在庫管理単位データベース、顧客プロファイルデータベース、人口統計データベース、および販売促進データベースのうちの少なくとも1つにアクセスするステップ
をさらに含む、請求項28に記載のコンピュータプログラム。
【請求項３４】
前記方法を実施する前記コンピュータ可読プログラムコードが、
1つまたは複数の支払いオプションおよびそれらの対応する交換レートを、前記商品またはサービス用の最終購入価格と比較するステップ
をさらに含む、請求項28に記載のコンピュータプログラム。
【請求項３５】
前記方法を実施する前記コンピュータ可読プログラムコードが、
支払い口座タイプにより潜在的な支払いオプションを並べ替えるステップ
をさらに含む、請求項28に記載のコンピュータプログラム。
【請求項３６】
前記方法を実施する前記コンピュータ可読プログラムコードが、
前記1つまたは複数の優先される支払いオプションを、業者に有利であり得るランク付け方式で、前記ポータブルコンピューティングデバイスのディスプレイデバイスに表示するステップ
をさらに含む、請求項28に記載のコンピュータプログラム。